(57)【要約】【課題】透明ディスプレイを保護すると共に、透明ディスプレイの表示画像及び透明ディスプレイ背後の視認性に優れたディスプレイ付き複層ガラスを提供すること。【解決手段】周縁に設けられるスペーサ（１７）を挟んで重ねられる複数のガラス板（１１、１２）及び前記複数のガラス板の間に形成される中空層（２５）を備える複層ガラスと、前記複数のガラス板のうちの少なくとも１枚のガラス板の前記中空層に面した面に設けられる透明ディスプレイ（７０）と、を有するディスプレイ付き複層ガラス。
2014175193.tif 000002
【特許請求の範囲】
【請求項１】
周縁に設けられるスペーサを挟んで重ねられる複数のガラス板と、前記複数のガラス板の間に形成される中空層と、を備えた複層ガラスと、  前記複数のガラス板のうちの少なくとも１枚のガラス板の前記中空層に面した面に設けられる透明ディスプレイと、を有することを特徴とするディスプレイ付き複層ガラス。
【請求項２】
前記透明ディスプレイは、前記複数のガラス板のうち視認者側ガラス板の前記中空層側の面に、表示面が接着剤を介して配されることを特徴とする請求項１に記載のディスプレイ付き複層ガラス。
【請求項３】
前記接着剤は、２５℃におけるせん断弾性率が、１０３Ｐａ〜１０７Ｐａであることを特徴とする請求項２に記載のディスプレイ付き複層ガラス。
【請求項４】
前記透明ディスプレイは、前記ガラス板の略全面を覆う大きさを有することを特徴とする請求項１から３の何れか一項に記載のディスプレイ付き複層ガラス。
【請求項５】
前記透明ディスプレイの外周縁は、前記スペーサと前記ガラス板との間に配されていることを特徴とする請求項４に記載のディスプレイ付き複層ガラス。
【請求項６】
請求項１に記載のディスプレイ付き複層ガラスと、  前記複層ガラスの周縁を覆うサッシと、を有することを特徴とするショーケース用ガラスドア。
【請求項７】
前記透明ディスプレイは、前記複数のガラス板のうち庫外側ガラス板の前記中空層側の面に、表示面が接着剤を介して設けられることを特徴とする請求項６に記載のショーケース用ガラスドア。
【請求項８】
前記複数のガラス板のうち庫内側ガラス板の前記中空層側の面に低放射膜を有することを特徴とする請求項６又は７に記載のショーケース用ガラスドア。
【請求項９】
前記複数のガラス板は、第１ガラス板及び第２ガラス板で構成され、  前記透明ディスプレイは、前記第１ガラス板の前記中空層側の面に設けられ、  前記低放射膜は、前記第２ガラス板の前記中空層側の面に設けられることを特徴とする請求項８に記載のショーケース用ガラスドア。
【請求項１０】
前記透明ディスプレイは、前記ガラス板の略全面を覆う大きさを有することを特徴とする請求項６から９の何れか一項に記載のショーケース用ガラスドア。
【請求項１１】
前記透明ディスプレイの外周縁は、前記サッシの内周縁よりも外周に配されていることを特徴とする請求項１０に記載のショーケース用ガラスドア。
【請求項１２】
前記透明ディスプレイの外周縁は、前記スペーサと前記ガラス板との間に配されていることを特徴とする請求項１１に記載のショーケース用ガラスドア。
【請求項１３】
請求項６から１２の何れか一項に記載のショーケース用ガラスドアを有することを特徴とするショーケース。
【発明の詳細な説明】
【技術分野】
【０００１】  本発明は、ディスプレイ付き複層ガラス、ショーケース用ガラスドア及びショーケースに関する。
【背景技術】
【０００２】  内部の棚に陳列されている商品を閲覧することができる透明なガラスドアが前面に設けられ、消費者がガラスドア越しに商品を選択して取り出すことができるショーケースが店舗等で用いられている。【０００３】  ショーケースの中には、商品の宣伝広告を行う画像等を表示する透明ディスプレイが前面のガラスドアに設けられているものがある（例えば、特許文献１参照）。この様なショーケースは、消費者からは透明ディスプレイに表示される画像と、陳列される商品とが重なって見え、表示される静止画や動画等で消費者の購買意欲を増大させることができる。
【先行技術文献】
【特許文献】
【０００４】
【特許文献１】特開２００３−１２５９０４号公報
【発明の概要】
【発明が解決しようとする課題】
【０００５】  しかしながら、ショーケースのガラスドアの外面又は内面に透明ディスプレイを設ける構成では、ガラスドアの開閉時等に人や商品が接触することで、透明ディスプレイの破損、故障等を招く場合がある。【０００６】  また、内部に冷蔵された飲料や冷凍食品等を陳列するショーケースの場合には、ガラスドア又は透明ディスプレイの表面が結露して曇り、透明ディスプレイの表示画像及びショーケース内部の視認性が低下する可能性がある。【０００７】  本発明は上記に鑑みてなされたものであって、透明ディスプレイを保護すると共に、透明ディスプレイの表示画像及び透明ディスプレイ背後の視認性に優れたディスプレイ付き複層ガラス、ショーケース用ガラスドア及びショーケースを提供することを目的とする。
【課題を解決するための手段】
【０００８】  本発明の一態様のディスプレイ付き複層ガラスによれば、周縁に設けられるスペーサを挟んで重ねられる複数のガラス板及び前記複数のガラス板の間に形成される中空層を備える複層ガラスと、前記複数のガラス板のうちの少なくとも１枚のガラス板の前記中空層に面した面に設けられる透明ディスプレイと、を有する。【０００９】  また、本発明の一態様のショーケース用ガラスドアは、上記のディスプレイ付き複層ガラスと、前記複層ガラスの周縁を覆うサッシと、を備えてなる。【００１０】  また、本発明の一態様のショーケースは、上記ショーケース用ガラスドアを備えてなる。
【発明の効果】
【００１１】  本発明の実施形態によれば、透明ディスプレイをどの位置に配置すればよいか鋭意検討の結果、透明ディスプレイを保護すると共に、透明ディスプレイの表示画像及び透明ディスプレイ背後の視認性に優れたディスプレイ付き複層ガラス、ショーケース用ガラスドア及びショーケースを提供できる。
【図面の簡単な説明】
【００１２】
【図１】実施形態に係るショーケースを例示する図である。
【図２】実施形態に係るショーケースのガラスドアを例示する正面図である。
【図３】実施形態に係るショーケースのガラスドアを例示する断面概略図（１）である。
【図４】実施形態に係るショーケースのガラスドア断面を拡大して例示する図である。
【図５】実施形態に係るショーケースのガラスドアを例示する断面概略図（２）である。
【発明を実施するための形態】
【００１３】  以下、図面を参照して発明を実施するための形態について説明する。各図面において、同一構成部分には同一符号を付し、重複した説明を省略する場合がある。
【００１４】  ＜ショーケース＞  まず、実施形態に係るショーケース１００の構成について、図１に基づいて説明する。なお、以下に示す図面においてＸ方向はショーケース１００の幅方向、Ｙ方向は奥行き方向、Ｚ方向は高さ方向を示している。
【００１５】  ショーケース１００は、前面にガラスドア１０、内部に例えば飲料等の商品５０が陳列される棚３０を有する。本実施形態に係るショーケース１００は、冷蔵機能又は冷凍機能を有し、陳列される商品５０を保冷する。
【００１６】  ガラスドア１０は、外部から商品５０が見える様に、ほぼ全面に透明なガラスが用いられている。ガラスドア１０は、例えば引き戸式、観音開き式等で開閉自在に設けられ、消費者はガラスドア１０越しに商品５０を選択し、ガラスドア１０を開けて商品を取り出すことができる。なお、ショーケース１００に設けられるガラスドア１０の数は、１つ又は２つ以上の複数であってもよい。
【００１７】  ガラスドア１０は、画像等を表示する透明ディスプレイ７０を有する。透明ディスプレイ７０は、ガラスドア１０の一部又は全面に設けられて、静止画、動画等の画像を表示する。透明ディスプレイ７０は透過型の表示装置であり、消費者は透明ディスプレイ７０に表示される画像越しに陳列されている商品５０を見ることができる。
【００１８】  ＜ガラスドア＞  次に、実施形態に係るガラスドア１０の構成について説明する。
【００１９】  図２は、実施形態に係るガラスドア１０を例示する正面図である。また、図３は、図２のＡ−Ａ’断面を例示する概略図である。
【００２０】  ガラスドア１０は、ショーケース１００の庫外側のガラス板１１、庫内側のガラス板１２を含む複層ガラス、複層ガラスの周縁を覆うサッシ１５、透明ディスプレイ７０を有する。
【００２１】  （複層ガラス）  複層ガラスは、図３に示す様に、周縁に設けられるスペーサ１７を挟んで重ねられる２枚のガラス板１１，１２で構成される。図３に示す様に、スペーサ１７を挟んで重ねられるガラス板１１とガラス板１２との間には中空層２５が形成されている。中空層２５は、周囲がスペーサ１７により囲まれて密閉され、外部環境とは遮断されている。中空層２５には、例えば空気又は不活性ガス等が充填されている。ガラス板の厚さは、通常２〜６ｍｍ程度である。ガラス板の厚さは、１〜６ｍｍを例示できる。中空層の厚さは、６〜２５ｍｍを例示できる。
【００２２】  ガラス板１１，１２は、例えばソーダライムガラス、アルミノシリケートガラス、アルミノボロシリケートガラス、無アルカリガラス、有機ガラス等を用いることができるが、これらに限るものではない。また、ガラス板１１及び／又はガラス板１２は、化学強化処理又は物理強化処理が施されていてもよい。
【００２３】  ガラス板に対してこのような表面強化処理を実施することにより、ガラス板の強度が向上し、ガラス板１１の厚さをより薄くできる。また、ガラス板１１，１２は複数枚のガラスが中間膜を介して接着された合わせガラスであってもよい。
【００２４】  （サッシ）  サッシ１５は、例えば金属材料、樹脂材料等を用いて形成され、図２及び図３に示す様に、複数のガラス板の周縁部分を挟み込んで固定する。サッシ１５は、例えばショーケース１００のＸ方向に沿って開閉するためのレールや、Ｙ方向に開閉するためのヒンジ部品、ガラスドア１０を開閉するための把手等を有してもよい。
【００２５】  （透明ディスプレイ）  透明ディスプレイ７０は、例えば液晶ディスプレイ装置、有機ＥＬディスプレイ等の透過型のディスプレイである。透明ディスプレイ７０は、透過型のディスプレイであれば上記例に限るものではない。液晶ディスプレイ装置としては、分散型液晶表示素子（一例として、旭硝子社製：トランスマート）を構造に含むものであってもよいし、液晶基板背面に導光板を備える構造のものであってもよい。また、透明ディスプレイ７０は、ガラスドア１０に同種もしくは異種のものが複数設けられてもよい。例えば複数の透明ディスプレイ７０を用いて、ショーケース１００内の商品毎に透明ディスプレイ７０を配設することで、商品毎に異なる情報を表示することが可能になる。透明ディスプレイ７０の非表示状態での可視光線透過率は、１５〜３０％を好ましく例示できる。
【００２６】  透明ディスプレイ７０は、図３に示す様に、複数のガラス板のうちの少なくとも１枚のガラス板の中空層２５に面する面に設けられる。透明ディスプレイ７０は、ガラス板１１，１２の何れかの表面に接着固定されるが、ショーケース１００の庫外側のガラス板１１の中空層２５側の面に、表示面を外部に向けて設けられることが好ましい。この様な構成により、消費者側から透明ディスプレイ７０までの界面の数を少なくでき、透明ディスプレイ７０に表示される画像をガラス板１１を介してより鮮明に見ることが可能になる。
【００２７】  透明ディスプレイ７０は、例えば内部に陳列されている商品５０等の宣伝広告を行う静止画、動画等の画像を表示する。透明ディスプレイ７０が表示する画像は、例えば不図示の記憶装置に記憶されている画像、あるいはネットワークを介して接続するサーバ等から送信される画像等である。
【００２８】  透明ディスプレイ７０は透過型の表示装置であるため、透明ディスプレイ７０に画像が表示されている間も、消費者は透明ディスプレイ７０に表示されている画像越しに、背後の棚３０に陳列されている商品５０を見ることができる。すなわち、透明ディスプレイ７０に画像が表示されている間は、消費者は透明ディスプレイ７０に表示されている画像と背後の商品５０とを重ねて見ることになる。
【００２９】  なお、透明ディスプレイ７０は、ガラスドア１０の一部又は略全面に設けることができるが、図２に示す様に、外周がサッシ１５の内周縁と外周縁との間に位置する様に略全面に設けられることが好ましい。この様な構成により、透明ディスプレイ７０の外周縁が外部に露出せず、ガラスドア１０の美観を保つことができる。さらに図４に示す様に、透明ディスプレイ７０は、外周がスペーサ１７とガラス板１１との間に介在することが好ましい。この様な構成により、透明ディスプレイ７０のガラス板１１への密着性をさらに向上できる。図４に示す例の他に、透明ディスプレイ７０の外周はガラス板１１の外周まで到達していてもよい。
【００３０】  （ガラス板と透明ディスプレイとの接合）  透明ディスプレイ７０は、例えば透明接着剤又は透明粘着剤（総称して透明接着剤という）、透明接着剤又は粘着テープ等を用いて、ガラス板１１に貼り付けられる。透明接着剤及び粘着テープは、透明ディスプレイ７０の全面に塗布又は貼付されてもよく、周縁部等の一部分に塗布又は貼付されてもよい。透明接着剤及び粘着テープが、透明ディスプレイ７０の全面に塗布又は貼付されている場合には、ガラス板１１と透明ディスプレイ７０との間にエアギャップが無くなるため、表示画像が鮮明になる。透明接着剤としては、例えば透明樹脂や、液状の硬化性樹脂組成物を用いることができる。なお、これら透明接着剤等は図示を省略している。
【００３１】  硬化性樹脂組成物を用いる場合には、ガラス板１１の中空層２５側の面に未硬化の樹脂組成物を塗布し、その上に透明ディスプレイ７０を配置した後、樹脂組成物を硬化させることで、ガラス板１１と透明ディスプレイ７０とを接合できる。
【００３２】  透明接着剤は、２５℃におけるせん断弾性率が、１０３Ｐａ〜１０７Ｐａの範囲であることが好ましく、１０４Ｐａ〜１０６Ｐａの範囲であることがより好ましい。特に、透明接着剤の２５℃におけるせん断弾性率が１０４Ｐａ〜１０５Ｐａの範囲である場合、ガラス板１１及び表示装置１７０との接合の際に生じ得る空隙を、比較的容易に消失させることができる。
【００３３】  ２５℃におけるせん断弾性率が１０３Ｐａ以上の場合、透明接着剤の形状を適正に維持できる。また、透明接着剤の厚さが比較的厚い場合であっても、透明接着剤全体で厚さを均一に維持することができ、ガラス板１１と表示装置１７０を接合する際に、透明ディスプレイ７０と透明接着剤との界面に、空隙が発生し難くなる。
【００３４】  また、透明接着剤の２５℃におけるせん断弾性率が１０４Ｐａ以上の場合、透明接着剤の変形を有意に抑制することができる。透明接着剤は、せん断弾性率が１０７Ｐａ以下の場合に、ガラス板１１と透明ディスプレイ７０との接合において良好な密着性を発揮する。
【００３５】  透明接着剤の厚さは、０．０３ｍｍ〜２ｍｍが好ましく、０．１ｍｍ〜０．８ｍｍがより好ましい。
【００３６】  透明接着剤の厚さが０．０３ｍｍ以上の場合には、ガラス板１１の外側から外力等が加わった際に、透明接着剤が外力による衝撃を低減し、透明ディスプレイ７０を保護することが可能となる。また、ガラス板１１と透明ディスプレイ７０との間に、透明接着剤の厚さ未満の寸法の異物が混入しても、透明接着剤の厚さが変化しないため、異物混入による光透過性能への影響を抑制できる。また、透明接着剤の厚さを２ｍｍ以下にすることで、透明接着剤により透明ディスプレイ７０部分が過度に厚くなるのを抑制することができる。
【００３７】  なお、透明接着剤は、単一の層としてではなく、平面視中央部分の層状部と、該層状部の周囲を取り囲む堰状部とで構成されてもよい。堰状部は、例えば、ガラス板１１上で、液状の硬化性樹脂組成物から透明接着剤を形成する際に、硬化性樹脂組成物が所定の範囲を超えて、外方に広がることを抑制する（すなわち、層状部用の液状の硬化性樹脂組成物の流出を堰き止める）。堰状部は、中央部分の層状部を構成する硬化性樹脂組成物とは異なる硬化性樹脂組成物を硬化させることで構成されてもよい。
【００３８】  （機能膜）  ガラス板１１又はガラス板１２は、少なくとも一部に機能膜として低放射膜２４が設けられてもよい。低放射膜２４は、断熱効果を高めるために、ショーケース１００庫内側のガラス板１２の中空層２５側の面に設けられることが好ましい。
【００３９】  低放射膜２４としては、薄膜の積層膜で構成されたものが好ましく、銀を主成分とする膜が、亜鉛を主成分とする酸化物薄膜で挟まれた積層膜（亜鉛酸化物／銀／亜鉛酸化物）で構成されたものが好ましい。放射率を下げるためには、上記積層膜を２重にする（亜鉛酸化物／銀／亜鉛酸化物／銀／亜鉛酸化物）ことがより好ましい。この様な積層膜によれば、透過率が高く低放射であるので、ショーケース１００内部の視認性を維持すると共に断熱性能も好適に保たれる。
【００４０】  また、ショーケース１００の庫外側のガラス板１１の外側表面には、反射防止膜が設けられてもよい。反射防止膜は、例えばシリケートや金属酸化物の薄膜を所定膜厚でスパッタリング法や蒸着法にてガラス板１１の外側表面に直接形成される。あるいは、反射防止膜は、フッ素樹脂などの低屈折率の樹脂薄膜を、粘着層などを介してガラス板１１の庫外側表面に張り合わせることで形成される。特に最外層にフッ素樹脂を有するものは、防汚性能や易清浄性を付与できるので好ましい。
【００４１】  ガラス板１１の庫外側表面に反射防止膜を設けることで、反射が抑制されて外部から透明ディスプレイ７０により表示される画像をより鮮明に見ることが可能になる。
【００４２】  （スペーサ）  図４は、実施形態に係るガラスドア１０を例示する図であり、図２のＡ−Ａ’断面の一端側の拡大図である。
【００４３】  図４に示す様に、スペーサ１７は例えばアルミニウムを主材料とする金属材料で内部に中空を有する様に形成され、内部に例えばシリカゲル等の乾燥剤１８を収納する。また、スペーサ１７の中空層２５側の面には貫通孔１９が設けられ、貫通孔１９を介して中空層２５に存在した水分は乾燥剤１８に吸収される。
【００４４】  ガラス板１１とガラス板１２との間の中空層２５は、周囲がスペーサ１７により囲まれ、さらに一次シール材２０、二次シール材２１によって密閉される。
【００４５】  一次シール材２０としては、例えば架橋処理されないブチルゴム、もしくは、ポリイソブチレンをベースとし、着色と補強を目的としたカーボンブラック等のフィラーが含有されたもの等が用いられる。二次シール材２１としては、例えばポリサルファイド、シリコーン、ウレタン等の硬化性エラストマをベースとし、ガラスとの接着性を発現するために適当な変性を加えられたもの等が使用される。
【００４６】  なお、スペーサとしては図４に示した態様の他に、それ自体が密閉性・ガラスとの接着性を確保した、乾燥剤を練り込んだ樹脂製スペーサを用いることもできる。また、複層ガラスの全周のうち一部を樹脂製スペーサで、一部を１次、２次シールを用いた図４のようなスペーサで、構成することもできる。
【００４７】  ここで、透明ディスプレイ７０は、図４に示す様に、周縁部がスペーサ１７とガラス板１１とで挟まれる様に設けられることが好ましい。この様な構成により、透明ディスプレイ７０とガラス板１１との間の接合をより強固に保つことが可能になる。
【００４８】  なお、ガラスドア１０は、３枚以上のガラス板で構成されてもよい。図５に、３枚のガラス板１１，１２，１３を含んで構成されるガラスドア１０の断面概略図を例示する。
【００４９】  図５に示すガラスドア１０は、ショーケース１００の外側から順に、ガラス板１１、ガラス板１２、ガラス板１３がそれぞれスペーサ１７を挟んで重ねて設けられている。ガラス板１１とガラス板１２との間にはスペーサ１７が設けられ、中空層２５が形成されている。また、ガラス板１２とガラス板１３との間には、同様にスペーサ１７が設けられ、中空層２６が形成されている。
【００５０】  この様な構成において、透明ディスプレイ７０は、中空層２５，２６のどちらに設けられてもよいが、ショーケース１００の最も庫外側のガラス板１１の中空層２５側の面に設けられることが好ましい。ガラスドア１０が４枚以上の複数のガラス板で構成される場合であっても、同様にショーケース１００の最も庫外側のガラス板の中空層側の面に設けられることが好ましい。この様な構成により、透明ディスプレイ７０に表示される画像の外部からの視認性を確保することができる。
【００５１】  また、ガラス板１１，１２，１３のうち何れかの領域に低放射膜２４が設けられても良く、ショーケース１００の最も庫内側のガラス板１３の中空層２６側の面に設けられることが好ましい。ガラスドア１０が４枚以上の複数のガラス板で構成される場合であっても、同様にショーケース１００の最も庫内側のガラス板１３の中空層２６側の面に低放射膜２４が設けられることが好ましい。この様な構成により、ガラスドア１０の断熱効果を高めることができる。
【００５２】  以上で説明した様に、本実施形態に係るショーケース１００に設けられるガラスドア１０は、複数のガラス板の間に形成される中空層に透明ディスプレイ７０が設けられている。透明ディスプレイ７０が中空層に設けられることで、ガラスドア１０の開閉時等において透明ディスプレイ７０が人や商品等に接触することがなく、破損、故障等の発生が低減される。また、ガラスドア１０の開閉時等において透明ディスプレイ７０の表面が結露して曇ることがなく、透明ディスプレイ７０の表示画像及びショーケース内部の商品の視認性に優れたガラスドア１０及びガラスドア１０を有するショーケース１００を提供できる。
【００５３】  なお、本実施形態に係るショーケース１００として、冷蔵機能又は冷凍機能を有する例について説明したが、冷蔵機能又は冷凍機能は無くてもよい。また、ディスプレイ付き複層ガラスをショーケース１００に設けられるガラスドア１０に用いた例ついて説明したが、例えば建物や車両等の窓等であってもよい。この場合も、透明ディスプレイは、ガラス板の一部又は略全面に設けることができるが、外周がスペーサとガラス板との間に介在することが好ましい。この様な構成により、透明ディスプレイのガラス板への密着性をさらに向上できる。
【００５４】  以上、実施形態に係るディスプレイ付き複層ガラス及びショーケースについて説明したが、本発明は上記実施形態に限定されるものではなく、本発明の範囲内で種々の変形及び改良が可能である。
【００５５】  本国際出願は、２０１３年４月２５日に出願された日本国特許出願２０１３−０９２８０５号に基づく優先権を主張するものであり、日本国特許出願２０１３−０９２８０５号の全内容を本国際出願に援用する。
【符号の説明】
【００５６】１０  ガラスドア１１，１２，１３  ガラス板１５  サッシ１７  スペーサ２４  低放射膜２５，２６  中空層７０  透明ディスプレイ１００  ショーケース
【図１】
2014175193.tif 000003
【図２】
2014175193.tif 000004
【図３】
2014175193.tif 000005
【図４】
2014175193.tif 000006
【図５】
2014175193.tif 000007
【国際調査報告】
2014175193.tif 000008
2014175193.tif 000009
2014175193.tif 000010
2014175193.tif 000011